(57)【要約】【課題】従来のビルトインアルカリ整水器またはビルトイン浄水器の水栓においては、水栓の正面に設けられた操作パネル内に１色で且つ狭い表示範囲でＬＥＤの点滅・点灯を行うため、水栓の正面で見なければユーザーが認識できない問題があったので、視認性、作業性を向上する水栓を提供することを目的とする。【解決手段】本発明のビルトインアルカリ整水器またはビルトイン浄水器の水栓は、水栓７の側面にリング状のパネル３７を備え、複数色のＬＥＤ４８にて前記リング状のパネル３７の全表面を点灯・点滅・消灯を行い、水栓７に対して３６０°どこの位置からでもユーザーへ水の飲用可・飲用不可および水質をお知らせする水信号ランプ機構を備えた水栓。【選択図】  図２
2004232381.tif 000002
【特許請求の範囲】
【請求項１】
流し台に設置するビルトインアルカリ整水器およびビルトイン浄水器の水栓において、水栓の側面にリング状のパネルを備え、複数色の発光体にて前記リング状パネルの全表面を点灯・点滅・消灯を行い、水栓に対して３６０°どこの位置からでもユーザーへ水の飲用可・飲用不可および水質をお知らせする水信号ランプ機構を備えたことを特徴とする水栓。
【請求項２】
前記リング状パネルの内側には前記リング状パネルの中心軸と同軸の反射板を兼備えた吐水継手と、前記リング状パネルの中心軸と直交した状態で、前記発光体が実装され、馬蹄形またはリング形の水信号基板が配置されていることを特徴とする請求項１記載の水信号ランプ機構を備えた水栓。
【請求項３】
前記反射板を兼備えた吐水継手の反射面はＲまたはテーパーにて形成されていることを特徴とする請求項１または２記載の水信号ランプ機構を備えた水栓。
【請求項４】
前記反射板部材通水路を兼備えていることを特徴とする請求項１〜３のいずれか一に記載の水信号ランプ機構を備えた水栓。
【請求項５】
前記水信号基板と操作基板はリード線によって結合され、直交した配置関係であることを特徴とする請求項１〜４のいずれか一に記載の水信号ランプ機構を備えた水栓。
【請求項６】
前記水信号基板は前記リング状パネルの視野範囲の下方に位置することを特徴とする請求項１〜５のいずれか一に記載の水信号ランプ機構を備えた水栓。
【請求項７】
前記リング状パネルは上ケースと吐出パイプ固定用ナットに挟まれネジの螺合によって固定されていることを特徴とする請求項１〜６のいずれか一に記載の水信号ランプ機構を備えた水栓。
【請求項８】
前記水信号ランプの発光色は、操作パネルに設けられたアルカリ水選択ランプの発光色またはアルカリスイッチの色、浄水選択ランプの発光色または浄水スイッチの色、酸性水選択ランプの発光色または酸性スイッチの色に合わせたことを特徴とする請求項１〜７のいずれか一に記載の水信号ランプ機構を備えた水栓。
【請求項９】
前記発光体はＬＥＤであることを特徴とする請求項１または２記載の水栓。
【発明の詳細な説明】
【０００１】
【発明の属する技術分野】
本発明は、流し台上に設置する水栓と流し台下には水道水中の不純物をろ過するためのろ材が内臓されたカートリッジを有し、浄水器として使用する本体、または電気分解を利用しアルカリイオン水を生成する本体が水道配管と連結設置され、ホース等で水栓と本体が連結されるビルトイン浄水器およびビルトインアルカリ整水器の水栓に関するものである。
【０００２】
【従来の技術】
近年、水道水の水質悪化に伴い消費者の飲料水への関心が高まり水道水を浄化する浄水器、アルカリイオン整水器が普及してきた。また、流し台スペースが確保でき、台所作業で邪魔にならないビルトインタイプが最近急速に普及率を伸ばしている。ユーザーにおいては常に、ビルトインアルカリ整水器およびビルトイン浄水器の水栓においては、使い勝手の向上が望まれている。以下、従来の技術として説明するビルトインアルカリイオン整水器は、水道配管と連結する連結部と水道水供給のＯＮ／ＯＦＦを制御する電磁弁と水道水をろ過するためのろ材を収納したカートリッジと水道水を電気分解しアルカリイオン水および酸性水を生成する電解槽が連結された構成である本体と、流し台上でユーザーが水質を選択することができる表示パネルと吐水管、排水管を有する水栓がホース等の連結部材によって連結され、前記表示パネルの操作によってアルカリ水、酸性水、浄水に水質を切り換え、水を吐水させることができるものである。
【０００３】
従来のビルトインアルカリ整水器について説明する。図６は従来のビルトインアルカリの流し台への設置図、図７は従来のビルトインアルカリ整水器用水栓の断面図、図８はビルトインアルカリ整水器用水栓の外観図、図９はビルトインアルカリ整水器用水栓の操作パネル詳細図。図６〜図９において１は水道配管、２は給水管、３は水道水供給のＯＮ／ＯＦＦを制御する電磁弁、水道水をろ過するカートリッジ、ろ過された水を電気分解し、アルカリ水、酸性水を生成する電解槽が内蔵されている本体、４は本体と水栓を接続し、飲用水を通水する吐水管、５は本体と水栓を接続し、飲用外の水を通水する排水管、６は水質選択と水道水供給のＯＮ／ＯＦＦを選択する操作パネル、７は操作パネル６を有する水栓である。ここで、水の流れおよび簡単な動作を説明する。操作パネル６の止水／通水スイッチを押すと、本体３内の電磁弁が通水路を開き、水道水は水道配管１から給水管２を介して本体３に流入する。本体３内では水道水はカートリッジでろ過され、電解槽に流入し、操作パネル６でアルカリ水が選択されている場合は電解槽内で電気分解され、アルカリ水は吐水管４へ流出し、水栓７内の吐水路部材８を通り、吐出パイプ９より吐水する。また、酸性水は排水管５へ流出し、水栓７内の排水路部材１０を通り、排出パイプ１１より排水する。次に、操作パネル６で酸性水が選択されている場合は電解槽内で電気分解され、酸性水は吐水管４へ流出し、水栓７内の吐水路部材８を通り、吐出パイプ９より吐水する。また、アルカリ水は排水管５へ流出し、水栓７内の排水路部材１０を通り、排出パイプ１１より排水する。最期に、操作パネル６で浄水が選択されている場合は電解槽内で電気分解はされず、定められた流量比にて吐水管４への流出と、排水管５への流出を行い、それぞれ水栓７内の吐水路部材８および排水路部材１０を通り、吐出パイプ９および排出パイプ１１より吐水する。なお、浄水使用時に排水カット機能を設けた場合は全流量が吐水管４へ流出し、水栓７内の吐水路部材８を通り、吐出パイプ９より吐水し、排出パイプ１１より排水されない。
【０００４】
次に、水栓７の構造を詳細に説明する。図７〜９において、操作用ＳＷ１２を１ヵ所または複数ヵ所有する操作用ケース１３と操作用ケース１３の操作用スイッチ１２表面に貼付されている操作パネル６と背面よりビス２４にて操作用ケース１３と固定される背面ケース１４と下面よりビス２４にて背面ケース１４と固定される下ケース１５により水栓７の外郭が構成されている。また、外側からの水が水栓７内部へ侵入するのを防止するため操作用ケース１３と背面ケース１４の嵌合凸凹部および背面ケース１４と下ケース１５の嵌合凸凹部にはパッキン１７が設けられている。内部構成としては操作用ケース１３の操作用スイッチ１２裏面にビス固定またはスナップフィット固定されている操作基板１６からの信号を本体３に内蔵されている制御基板へ伝達するケーブル１８と金属または樹脂製の吐水路部材８および排水路部材１０が水栓７内部に設けられ、吐水路部材８の一次側は本体３と接続される吐水管４とネジの螺合またはホースバンド２１により接続され、二次側は接続継手１９に嵌入し、吐出パイプ９の凸部９ａを接続継手１９と吐出パイプ固定用ナット２０で挟み込み、ネジ螺合によって接続されている。排水路部材１０の一次側は本体３と接続される排水管５とホースバンド２１またはネジの螺合により接続され、二次側は排出パイプ１１の凸部１１ａを排水路部材１０と排出パイプ固定用ナット２２で挟み込み、ネジの螺合によって接続されている。水栓７の内部部品である吐水路部材８、排水路部材１０等は固定金具２３を下ケース１５にビス２４で固定することによって水栓７内部で保持・固定される。流し台に固定するための金具類が固定金具２３に取り付けされることとなる。次に、操作パネル６の表示において図９を用いて説明する。操作スイッチ機能としては水道水供給のＯＮ／ＯＦＦ制御を行う止水／通水スイッチと使用する水質を選択するために、アルカリ水を選択するアルカリスイッチ２５、浄水を選択する浄水スイッチ２６、酸性を選択する酸性スイッチ２７が設けられ、ユーザーにお知らせする表示機能としては、水道水のろ過を目的としたカートリッジの寿命を使用量に応じて段階的にＬＥＤの点灯・点滅・消灯によってお知らせするカートリッジ寿命ランプ２８、規定されたろ過能力（使用量）に到達もしくは水道水の汚れによりカートリッジ目詰まりが発生し規定されたろ過流量以下に減少した場合にカートリッジの交換をＬＥＤ点灯・点滅・消灯によってお知らせするカートリッジ交換ランプ２９、アルカリ水使用時のｐＨの強弱を段階的に、且つアルカリ水を選択していることをＬＥＤ点灯でお知らせするアルカリ水選択ランプ３０、浄水を選択していることをＬＥＤ点灯でお知らせする浄水選択ランプ３１、酸性水を選択していることをＬＥＤ点灯でお知らせする酸性水選択ランプ３２、水の飲用可・飲用不可をＬＥＤの点滅・点灯をお知らせする水信号ランプ３３が設けられている（例えば、特許文献１参照。）。
【０００５】
【特許文献１】
特開２００１−１２３４８５号公報
【０００６】
【発明が解決しようとする課題】
従来のビルトインアルカリ整水器およびビルトイン浄水器の水栓７においては、水栓７の正面に設けられた操作パネル６内に１色で且つ狭い表示範囲でＬＥＤの点滅・点灯を行い、飲用可・飲用不可をユーザーにお知らせする水信号を設けていた。しかし、表示範囲がＬＥＤの大きさと同等レベルであったため視認性が不十分であり、色も１色であったためどの水質を使用しているか認識できず、設置位置も水栓７の正面の操作パネル６内に設けられているため、水栓７の正面で見なければユーザーが認識できない問題があった。
【０００７】
そこで本発明は、上記従来の問題点を解決するもので、流し台に設置するビルトインアルカリ整水器、ビルトイン浄水器の水栓において、水栓の側面にリング状のパネルを備え、複数色のＬＥＤにて前記リング状パネルの全表面を点灯・点滅・消灯を行い、水栓に対して３６０°どこの位置からでもユーザーへ水の飲用可・飲用不可および水質をお知らせする水信号ランプ機構を備えたことを特徴とする水栓を提供し、視認性、作業性を向上することを目的とする。
【０００８】
【課題を解決するための手段】
上記目的を達成するために本発明の流し台に設置するビルトインアルカリ整水器およびビルトイン浄水器の水栓において、水栓の側面にリング状のパネルを備え、複数色のＬＥＤにて前記リング状パネルの全表面を点灯・点滅・消灯を行い、水栓に対して３６０°どこの位置からでもユーザーへ水の飲用可・飲用不可および水質をお知らせする水信号ランプ機構を備えたことを特徴とする。この発明によれば、視認性を向上することにより台所作業性向上にもつながり、近年普及率の高まっている対面キッチンの視認範囲にも十分対応できるビルトインアルカリ整水器およびビルトイン浄水器の水栓を提供することができる。
【０００９】
【発明の実施の形態】
請求項１記載の発明は、流し台に設置するビルトインアルカリ整水器およびビルトイン浄水器の水栓において、水栓の側面にリング状のパネルを備え、複数色の発光体にて前記リング状パネルの全表面を点灯・点滅・消灯を行い、水栓に対して３６０°どこの位置からでもユーザーへ水の飲用可・飲用不可および水質をお知らせする水信号ランプ機構を備えた構造とした。この構造によれば、視認性を向上することにより台所作業性向上にもつながり、近年普及率の高まっている対面キッチンの視認範囲にも十分対応できるものにすることができる。
【００１０】
請求項２記載の発明は、リング状パネルの内側にはリング状パネルの中心軸と同軸の反射板部材とリング状パネルの中心軸と直交した状態で、発光体が実装され、馬蹄形またはリング形の水信号基板が配置されている構造とした。この構造によれば、組立性に優れ、前記リング状パネルの点灯・点滅状態にムラのない均一な状態にすることができる。
【００１１】
請求項３記載の発明は、反射板を兼備えた吐水継手の反射面はＲまたはテーパーにて形成する構造とした。この構造によれば、リング状パネルの点灯状態にムラのない均一な状態にすることができる。
【００１２】
請求項４記載の発明は、反射板を兼備えた吐水継手に通水路を兼備えている構造とした。この構造によれば、部品点数を削減することができ、コストメリット、組立性を向上することができる。
【００１３】
請求項５記載の発明は、水信号基板と操作基板はリード線によって結合され、直交した配置である構造とした。この構造によれば、前記リング状パネルの配置を自在にすることができ、組立性にも優れたものにすることができる。
【００１４】
請求項６記載の発明は、水信号基板は前記リング状パネルの視野範囲の下方に位置する構造とした。この構造によれば、前記リング状パネルの点灯・点滅状態にムラのない均一な状態にすることができる。
【００１５】
請求項７記載の発明は、リング状パネルは上ケースと吐出パイプ固定用ナットに挟まれネジの螺合によって固定される構造とした。この構造によれば、リング状パネルの固定にビス不要となり組立性に優れたものにすることができる。
【００１６】
請求項８記載の発明は、水信号ランプの発光色は、操作パネルに設けられたアルカリ水選択ランプの発光色またはアルカリスイッチの色、浄水選択ランプの発光色または浄水スイッチの色、酸性水選択ランプの発光色または酸性スイッチの色に合わせた表示とした。この表示によれば、どの水質を使用しているか、ユーザーが簡単に確認することができる。
【００１７】
請求項９記載の発明は、発光体はＬＥＤであることで、長寿命で省電力な水栓を提供することができる。
【００１８】
以下本発明のビルトインアルカリ整水器用水栓における一実施の形態について図面を用いて詳細に説明する。ビルトイン浄水器用水栓に関しては同一構造となるため説明は省略する。図１は本発明の一実施の形態におけるビルトインアルカリ整水器の流し台への設置図、図２は本発明の一実施の形態におけるビルトインアルカリ整水器用水栓の断面図、図３は本発明の一実施の形態におけるビルトインアルカリ整水器用水栓の外観図、図４は本発明の一実施の形態におけるビルトインアルカリ整水器用水栓の操作パネル詳細図、図５（ａ）本発明の一実施の形態におけるビルトインアルカリ整水器用水栓の水信号ランプ機構構造図、図５（ｂ）本発明の一実施の形態におけるビルトインアルカリ整水器用水栓の水信号ランプ機構に用いる水信号基板の部品図、図５（ｃ）本発明の一実施の形態におけるビルトインアルカリ整水器用水栓の水信号ランプ機構に用いるリング状パネルの部品図、図５（ｄ）本発明の一実施の形態におけるビルトインアルカリ整水器用水栓の水信号ランプ機構に用いる吐水継手の部品図はである。なお、以下に示す実施の形態において、従来の技術で説明したビルトインアルカリ整水器に対応する部材は同じ符号を付し、重複する説明はそこに譲って省略する。図１において、１は水道配管、２は給水管、３は本体、４は吐水管、５は排水管、６は操作パネル、７は水栓、９は吐出パイプ、２０は吐出パイプ固定用ナット、１１は排出パイプ、２２は排出パイプ固定用ナット、３３は水信号ランプである。ここで、水の流れおよび簡単な動作を説明する。図１〜図４において操作パネル６の止水／通水スイッチ３４を押すと、本体３内の電磁弁が通水路を開き、水道水は水道配管１から給水管２を介して本体３に流入する。本体３内では水道水はカートリッジでろ過され、電解槽に流入し、操作パネル６でアルカリ水が選択されている場合は電解槽内で電気分解され、アルカリ水は吐水ホース４１へ流出し、水栓７内の通水路３８ａを通り、吐出パイプ９より吐水する。また、酸性水は排水ホース４２へ流出し、水栓７内の通水路３９ｂを通り、排出パイプ１１より排水する。次に、操作パネル６で酸性水が選択されている場合は電解槽内で電気分解され、酸性水は吐水ホース４１へ流出し、水栓７内の通水路３８ａを通り、吐出パイプ９より吐水する。また、アルカリ水は排水ホース４２へ流出し、水栓７内の通水路３９ｂを通り、排出パイプ１１より排水する。最期に、操作パネル６で浄水が選択されている場合は電解槽内で電気分解はされず、定められた流量比にて吐水ホース４１への流出と、排水ホース４２への流出を行い、それぞれ水栓７内の通水路３８ａおよび通水路３９ｂを通り、吐出パイプ９および排出パイプ１１より吐水する。なお、浄水使用時に排水カット機能を設けた場合は全流量が吐水ホース４１へ流出し、水栓７内の通水路３８ａを通り、吐出パイプ９より吐水し、排出パイプ１１より排水されない。
【００１９】
次に、水栓７の構造について図２〜図４を用いて説明する。まず、各部品のとしましては、３５は上ケースであり、正面には操作カバー３６が嵌入される枠３５ａ、上部にはリング状パネル３７の取付穴３５ｂ、下部には各内部部品が挿入される挿入穴３５ｃが設けられている。３６は操作カバーであり、ヒンジ形状の操作用スイッチ１２およびＬＥＤ視認用穴３６ａを有する操作面３６ｂ、操作基板１６が取り付けられる操作基板収納室３６ｃが設けられている。３８は吐水継手であり、通水路３８ａ、ＬＥＤ発光の反射板３８ｂ、操作基板１６の押えリブ３８ｃ、吐出パイプ固定用ナット２０との結合部である雄ネジ部３８ｄが設けられている。１８は操作基板１６と本体３に内蔵する制御基板を接続するケーブルである。３９は分岐継手であり、吐水継手３８に接続される通水路３９ａ、排出パイプ１１に接続される通水路３９ｂ、排出パイプ固定用ナット２２との結合部である雄ネジ部３９ｃが設けられている。４０はホース用継手であり、吐水ホース４１に接続される吐水継手部４０ａ、排水ホース４２に接続される排水継手部４０ｂが設けられ、接続後はそれぞれホースバンド２１にて固定されている。１５は下ケースであり、内部の各部材を水栓７内部に固定するため上ケース３５、吐水継手３８とビス２４にて固定するためのビス穴１５ａが設けられている。２３は流し台に固定するための金具と固定する固定金具である。次に構造としまして、操作基板１６は操作カバー３６の操作基板収納室３６ｃに収納され、位置決めリブ３６ｄによってその位置が規制されており、操作基板１６の裏面からは吐水継手３８の押えリブ３８ｃによって押さえられ、操作カバー３６の爪３６ｄと吐水継手３８の穴３８ｅをスナップフィット結合させ操作基板１６が挟み込まれた状態の操作基板ボックス４３が構成される。操作基板ボックス４３は上ケース３５の下方に位置する挿入穴３５ｃより、その姿勢を水栓７の中心軸に対して傾斜させながら上ケース３５の上方に向かって挿入していき、上方に移動するに従い、その姿勢を水栓の中心軸と平行状態に変化していき、操作カバー３６の操作面３６ｂが上ケース３５の枠３５ａに完全に嵌入した状態で仮固定され、ビス２４によって上ケース３５に設けられたボス３５ｅに完全固定される。上ケース３５の正面には操作パネル６の貼り付け面として凹部３５ｆが設けられ、その貼付面凹部３５ｆは操作カバー３６の操作面３６ｂと同一面を形成し、操作パネル６の裏面の貼付糊は凹部３５ｆ面上にのみ貼り付けされる形状となっている。操作基板ボックス４３の下には操作基板１６からのコネクタが垂直方向に向かって露出しており、ケーブル１８が接続されている。分岐継手３９の通水路３９ａ二次側の吐水側挿入管３９ｄと吐水継手３８の吐水側入口穴３８ｆはＯリング４４を介して接続され、通水路３９ｂ二次側の排水側挿入管３９ｅと上ケース３５の分岐継手挿入穴３５ｇにＯリング４４を介して接続され、排出パイプ１１と排水側挿入管３９ｅはＯリング４４を介して接続され、凸部１１ａを分岐継手３９と排出パイプ固定用ナット２２で挟み込み、ネジの螺合によって接続固定されている。水栓７の外郭をなす、下ケース１５と上ケース３５は垂直方向に分割されており、その嵌合部にはパッキン４４が挟まれ、ビス２４によって上ケース３５と下ケース１５の固定、吐水継手３８と下ケース１５の固定がされており、通水路３８ａを兼備えた吐水継手３８が上ケース３５と下ケース１５の連結材をなしている。吐水ホース４１と排水ホース４２が接続されているホース用継手４０は分岐継手３９の通水路３９ａ、３９ｂにそれぞれＯリング４４を介して嵌入され、固定金具２３と下ケース１５に挟まれた状態でビス２４によって固定金具２３と下ケース１５が固定されている。操作パネル６から独立した水信号ランプ３３機構部は上ケース３５上部の取付穴３５ｂに上方からＯリング４４を介して嵌入されている。吐水パイプ９と吐水継手３８の出口穴３８ｇはＯリング４４を介して接続され、吐出パイプ固定用ナット２０と吐水継手３８で挟み込み、ネジの螺合によって接続固定されている。
【００２０】
次に、操作パネル６の表示について図４を用いて説明する。操作スイッチ機能としては水道水供給のＯＮ／ＯＦＦ制御を行う止水／通水スイッチと使用する水質を選択するために、アルカリ水を選択するアルカリスイッチ２５、浄水を選択する浄水スイッチ２６、酸性を選択する酸性スイッチ２７が設けられ、ユーザーにお知らせする表示機能としては、水道水のろ過を目的としたカートリッジの寿命を使用量に応じて段階的にＬＥＤの点灯・点滅・消灯によってお知らせするカートリッジ寿命ランプ２８、規定されたろ過能力（使用量）に到達もしくは水道水の汚れによりカートリッジ目詰まりが発生し規定されたろ過流量以下に減少した場合にカートリッジの交換をＬＥＤ点灯・点滅・消灯によってお知らせするカートリッジ交換ランプ２９、アルカリ水使用時のｐＨの強弱を段階的に、且つアルカリ水を選択していることをＬＥＤ点灯でお知らせするアルカリ水選択ランプ３０、浄水を選択していることをＬＥＤ点灯でお知らせする浄水選択ランプ３１、酸性水を選択していることをＬＥＤ点灯でお知らせする酸性水選択ランプ３２。ビルトイン浄水器の場合は、水質切換スイッチは設けられない。また、従来の技術で水信号ランプは操作パネル６内に設けていたが、本発明は操作パネル６とは別に独立した構成とした。そこで本発明の一実施の形態である水栓７に設けられる水信号ランプ３３の構造について詳細に説明する。図２〜図５水栓７の外郭側面にプラスチック材のリング状パネル３７を設け、上ケース３５の取付穴３８ｂにＯリング４４を介して嵌入され、リング状パネル３７を吐出パイプ固定用ナット２０と上ケース３５によって挟まれ、吐水継手３８の雄ネジ部３８ｄと吐出パイプ固定用ナット２０のネジの螺合によって固定されている。４６は複数色のＬＥＤ４８が複数個実装されている水信号基板であり、馬蹄形またはリング形の形状をなしている。リング状パネル３７の内側にはリング状パネル３７の中心軸と同一で且つリング状パネル３７の内壁３７ａとの距離が全周均等に形成された通水路３８ａを兼備えた吐水継手３８の反射板３８ｂが設けられ、水信号基板４６はリング状パネル３７の中心軸と直交し、且つリング状パネル３７の視野範囲３７ｂの下方に位置し、反射板３８ｂの下方に設けられた溝３８ｈに嵌入し、操作カバー３６に設けられた水信号基板設置面３６ｅによって挟まれる構造とした。リング状パネル３７内側の反射室３７ｃは水信号基板４６面上から上方にいくにつれて狭くなる構成である。反射板３８ｂのＬＥＤ反射面はＲまたはテーパーにて形成されている。水信号基板４６と操作基板１６はリード線４７で接続され、お互いに直交した配置関係である。水信号ランプ３３の発光の経路としましては、まず水信号基板４６上のＬＥＤ４８が発光し、その発光された光は吐水継手３８に設けられた反射板３８ｂに当たり反射され、反射室３７ｃ内で拡散し、リング状パネル３７の内壁３７ａを通過し、外部へ放出されることとなる。このような構造によって、複数色のＬＥＤを点灯・点滅・消灯をおこない、リング状パネル３７の全周全面を発光させる。
【００２１】
本実施の形態では、ＬＥＤ４８は赤色ＬＥＤ４８ａと緑色ＬＥＤ４８ｂの２色をペアーとして３組を１２０°ピッチの角度で配置したが、ＬＥＤは２個以上あればよく、用途に応じては３色以上の多色を用いても良い。
【００２２】
このように本発明の一実施の形態におけるビルトインアルカリ整水器およびビルトイン浄水器用の水信号パネル付水栓はリング状パネルの全表面を複数のＬＥＤで点灯・点滅・消灯をおこなうことにより、水栓に対してどの位置からでもユーザーへ飲用可・飲用不可の飲みごろのお知らせ、および使用している水質のお知らせができるものである。
【００２３】
【発明の効果】
ビルトインアルカリ整水器およびビルトイン浄水器の水栓において、水栓の側面にリング状パネルを備え、複数のＬＥＤにて前記リング状パネルの全表面を点灯・点滅・消灯をおこなうことにより、水栓に対して３６０°どの位置からでもユーザーへ飲用可・飲用不可の飲みごろのお知らせ、および使用している水質のお知らせができる水信号ランプ付水栓であることを特徴とする。この発明によれば、視認性を向上することにより台所作業性向上にもつながり、近年普及率の高まっている対面キッチンの視認範囲にも十分対応できるものにすることができる。
【図面の簡単な説明】
【図１】本発明の一実施の形態におけるビルトインアルカリ整水器の流し台への設置図
【図２】本発明の一実施の形態におけるビルトインアルカリ整水器用水栓の断面図
【図３】本発明の一実施の形態におけるビルトインアルカリ整水器用水栓の外観図
【図４】本発明の一実施の形態におけるビルトインアルカリ整水器用水栓の操作パネル詳細図
【図５】（ａ）本発明の一実施の形態におけるビルトインアルカリ整水器用水栓の水信号ランプ機構構造図
（ｂ）本発明の一実施の形態におけるビルトインアルカリ整水器用水栓の水信号ランプ機構に用いる水信号基板の部品図
（ｃ）本発明の一実施の形態におけるビルトインアルカリ整水器用水栓の水信号ランプ機構に用いるリング状パネルの部品図
（ｄ）本発明の一実施の形態におけるビルトインアルカリ整水器用水栓の水信号ランプ機構に用いる吐水継手の部品図
【図６】従来のビルトインアルカリ整水器の流し台への設置図
【図７】従来のビルトインアルカリ整水器用水栓の断面図
【図８】従来のビルトインアルカリ整水器用水栓の外観図
【図９】従来のビルトインアルカリ整水器用水栓の操作パネル詳細図
【符号の説明】
１  水道配管
２  給水管
３  本体
４  吐水管
５  排水管
６  操作パネル
７  水栓
８  吐水路部材
９  吐出パイプ
９ａ  凸部
１０  排水路部材
１１  排出パイプ
１１ａ  凸部
１２  操作用スイッチ
１３  操作用ケース
１４  背面ケース
１５  下ケース
１５ａ  ビス穴
１６  操作基板
１７  パッキン
１８  ケーブル
１８ａ  コネクタ
１９  接続継手
２０  吐出パイプ固定用ナット
２１  ホースバンド
２２  排出パイプ固定用ナット
２３  固定金具
２４  ビス
２５  アルカリスイッチ
２６  浄水スイッチ
２７  酸性スイッチ
２８  カートリッジ寿命ランプ
２９  カートリッジ交換ランプ
３０  アルカリ水選択ランプ
３１  浄水選択ランプ
３２  酸性水選択ランプ
３３  水信号ランプ
３４  止水／通水スイッチ
３５  上ケース
３５ａ  枠
３５ｂ  取付穴
３５ｃ  挿入穴
３５ｅ  ボス
３５ｆ  凹部
３５ｇ  分岐継手挿入穴
３６  操作カバー
３６ａ  ＬＥＤ視認用穴
３６ｂ  操作面
３６ｃ  操作基板収納室
３６ｄ  爪
３６ｅ  水信号基板設置面
３６ｆ  位置決めリブ
３７  リング状パネル
３７ａ  内壁
３７ｂ  視野範囲
３７ｃ  反射室
３８  吐水継手
３８ａ  通水路
３８ｂ  反射板
３８ｃ  押えリブ
３８ｄ  雄ネジ部
３８ｅ  穴
３８ｆ  吐水側入口穴
３８ｇ  出口穴
３８ｈ  溝
３９  分岐継手
３９ａ  通水路
３９ｂ  通水路
３９ｃ  雄ネジ部
３９ｄ  吐水側挿入管
３９ｅ  排水側挿入管
４０  ホース用継手
４１  吐水ホース
４２  排水ホース
４３  操作基板ボックス
４４  Ｏリング
４５  パッキン
４６  水信号基板
４７  リード線
４８  ＬＥＤ
４８ａ  赤色ＬＥＤ
４８ｂ  緑色ＬＥＤ
【図１】
2004232381.tif 000003
【図２】
2004232381.tif 000004
【図３】
2004232381.tif 000005
【図４】
2004232381.tif 000006
【図５】
2004232381.tif 000007
【図６】
2004232381.tif 000008
【図７】
2004232381.tif 000009
【図８】
2004232381.tif 000010
【図９】
2004232381.tif 000011